【手続補正書】
【提出日】平成23年1月13日(2011.1.13)
【手続補正１】
【補正対象書類名】特許請求の範囲
【補正対象項目名】全文
【補正方法】変更
【補正の内容】
【特許請求の範囲】
【請求項１】
処理システムにおいてインピーダンス測定を被験者に対して行なう方法であって、
ａ）被験者に装着される第１電極に操作可能に接続される第１リード線を介して、少なくとも一つの電気信号を被験者に印加し、
ｂ）被験者に装着される第２電極から操作可能に接続遮断される第２リード線を介して測定される少なくとも一つの第１電気信号を表わす第１指示値を導出し、
ｃ）被験者に装着される第２電極に操作可能に接続される第２リード線を介して測定される少なくとも一つの第２電気信号を表わす第２指示値を導出し、
ｄ）該第１及び第２指示値及び該少なくとも一つの印加された電気信号に基づいて、少なくとも一つの瞬時インピーダンス値を導出する、
方法。
【請求項２】
該第２リード線は、該当するスイッチを介して該第２電極に接続され、該方法は、処理システムにおいて、スイッチを選択的に開き且つ閉じることにより、該第１及び第２指示値を導出可能にすることを含む、請求項１記載の方法。
【請求項３】
該方法は、該処理システムにおいて、
ａ）該スイッチを開き、
ｂ）該第１指示値を導出し、
ｃ）該スイッチを閉じ、
ｄ）該第２指示値を導出する
ことを含む、請求項２記載の方法。
【請求項４】
各第２リード線はリード線ペアを含み、各リード線ペアは、該第２電極に操作可能に接続されるリード線と、該第２電極から操作可能に接続遮断されるリード線とを含み、該方法は、処理システムにおいて、
ａ）該第２電極から操作可能に接断される該リード線を使用して該第１指示値を導出し、ｂ）該第２電極に操作可能に接続されるリード線を使用して該第２指示値を導出する
ことを含む、請求項１記載の方法。
【請求項５】
該方法は、処理システムにおいて、
ａ）複数の個数の周波数を決定し、
ｂ）次の周波数を該複数の周波数から選択し、
ｃ）該少なくとも一つの電気信号を該被験者に、該選択された周波数で印加し、
ｄ）該第１及び第２指示値を導出し、
ｅ）ステップ（ｂ），（ｃ），及び（ｄ）を、該複数の周波数の各周波数に対応して繰り返す
ことを含む、請求項１記載の方法。
【請求項６】
該方法は、処理システムにおいて、
ａ）行なわれる少なくとも一つのインピーダンス測定を決定し、
ｂ）該複数の周波数を、決定されたインピーダンス測定を使用して決定する
ことを含む、請求項５記載の方法。
【請求項７】
該方法は、処理システムにおいて、
ａ）被験者に印加される該少なくとも一つの信号の指示値を導出し、
ｂ）該少なくとも一つの瞬時インピーダンス値を、導出された指示値を使用して導出することを含む、請求項５記載の方法。
【請求項８】
該方法は、処理システムにおいて、
ａ）該第２指示値を、該第１指示値を使用して変更し、
ｂ）変更済み第２指示値を使用して、該少なくとも一つの瞬時インピーダンス値を導出する、
ことを含む、請求項１記載の方法。
【請求項９】
該方法は、処理システムにおいて、
ａ）該第１指示値を使用して、少なくとも一つの第１瞬時インピーダンス値を導出し、
ｂ）該第２指示値を使用して、少なくとも一つの第２瞬時インピーダンス値を導出し、
ｃ）該第１及び第２瞬時インピーダンス値を使用して、該少なくとも一つの瞬時インピーダンス値を導出する
ことを含む、請求項１記載の方法。
【請求項１０】
該方法は、処理システムにおいて、該第１及び第２指示値を使用して、該第１リード線と該第２リード線との誘導結合を明らかにすることを含む、請求項１記載の方法。
【請求項１１】
インピーダンス測定を被験者に対して行なう、処理システムを含む装置であって、該処理システムは、
ａ）少なくとも一つの電気信号を被験者に、被験者に装着される第１電極に操作可能に接続される第１リード線を介して印加し、
ｂ）被験者に装着される第２電極から操作可能に接続遮断される第２リード線を介して測定される少なくとも一つの第１電気信号を表わす第１指示値を導出し、
ｃ）被験者に装着される第２電極に操作可能に接続される第２リード線を介して測定される少なくとも一つの第２電気信号を表わす第２指示値を導出し、
ｄ）該第１及び第２指示値、及び該少なくとも一つの印加された電気信号に基づいて、少なくとも一つの瞬時インピーダンス値を導出する
装置。
【請求項１２】
該装置は、該第２電極を該第２リード線に選択的かつ操作可能に接続するスイッチを含む、請求項１１記載の装置。
【請求項１３】
該処理システムは、該スイッチを開き、且つ閉じることにより、該第２電極を該第２リード線に選択的かつ操作可能に接続する、請求項１１記載の装置。
【請求項１４】
該装置は、該第２リード線を該第２電極に接続するバッファ回路を含む、請求項１１記載の装置。
【請求項１５】
該装置は、該バッファ回路と該第２電極との間に配置されて、該第２リード線を該第２電極に選択的かつ操作可能に接続するスイッチを含む、請求項１４記載の装置。
【請求項１６】
各第２リード線はリード線ペアを含み、各リード線ペアは、該第２電極に操作可能に接続されるリード線と、該第２電極から操作可能に接断されるリード線とを含む、請求項１１記載の装置。
【請求項１７】
請求項１記載の方法が、処理システムにおいて、
ａ）第１信号を被験者に印加し、
ｂ）被験者から測定される第２信号の指示値を導出し、
ｃ）該第２信号の該指示値を使用して、全てのインバランスを導出し、
ｄ）変形第１信号を該インバランスに基づいて導出し、
ｅ）該変形第１信号を被験者に印加することにより、少なくとも一つのインピーダンス測定を実行可能にする
ことを含む、請求項１記載の方法。
【請求項１８】
該第２信号は、該当する第２電極で検出される電圧であり、該方法は、該処理システムにおいて、
ａ）該第２電極群の各第２電極で検出される該電圧を導出し、
ｂ）該第２電極群の各第２電極で検出される該電圧を使用して第１電圧を導出し、
ｃ）該第１電圧を使用して該インバランスを導出する
ことを含む、請求項１７記載の方法。
【請求項１９】
該第１電圧はコモンモード信号である、請求項１８記載の方法。
【請求項２０】
該方法は、処理システムにおいて、該変更済み第１信号を導出することにより該インバランスを最小にする、請求項１７乃至１９のいずれか一項に記載の方法。
【請求項２１】
該第１信号は、該第１電極を使用して該被験者に印加される電圧であり、該第２信号は、該当する第２電極で検出される電圧であり、該方法は、処理システムにおいて、
ａ）該第１信号を被験者に印加することにより生じる電流を導出し、
ｂ）該第２電極群の各第２電極で検出される該電圧を導出し、
ｃ）該第２電極群の各第２電極で検出される該電圧を使用して第２電圧を導出し、
ｄ）求めた電流、及び該第２電圧を使用してインピーダンスパラメータを導出する
ことにより該インピーダンス測定を行なうことを含む、請求項１７乃至２０のいずれか一項に記載の方法。
【請求項２２】
該第２電圧は差分電圧である、請求項２１記載の方法。
【請求項２３】
該第１信号は、該第１電極を使用して該被験者に印加される電圧であり、該方法は、処理システムにおいて、
ａ）該第１信号を該被験者に印加することにより生じる電流を導出し、
ｂ）該電流を閾値と比較し、
ｃ）該被験者に対する該第１信号の印加を、該比較の結果によって変わる形で選択的に中断する
ことにより該インピーダンス測定を実行することを含む、請求項１７乃至２２のいずれか一項に記載の方法。
【請求項２４】
該方法は、処理システムにおいて、
ａ）第１信号を被験者に第１周波数で印加し、 
ｂ）被験者から測定される第２信号の指示値を導出し、
ｃ）該第２信号の該指示値を使用してインバランスを導出し、
ｄ）変形第１信号を該インバランスに基づいて導出し、
ｅ）該変形第１信号を該被験者に印加することにより、少なくとも一つのインピーダンス測定を該第１周波数で実行可能にし、
ｆ）ステップ（ａ）〜（ｅ）を、少なくとも一つの第２周波数に対応して繰り返す
ことにより、複数の周波数の各周波数におけるインピーダンス測定を行なうことを含む、請求項１７乃至２３のいずれか一項に記載の方法。
【請求項２５】
該方法は処理システムにおいて、
ａ）一つ以上の信号を該被験者に印加するために使用される制御信号を生成し、 
ｂ）該被験者に印加される該一つ以上の信号の指示値を受信し、
ｃ）該被験者から測定される一つ以上の信号の指示値を受信し、 
ｄ）該指示値の少なくとも事前処理を行なうことにより、インピーダンス値の導出を可能にする
ことを含む、請求項１７乃至２４のいずれか一項に記載の方法。
【請求項２６】
請求項１１記載の装置であって、該処理システムが、
ａ）第１信号を被験者に印加し、
ｂ）該被験者から測定される第２信号の指示値を導出し、
ｃ）該第２信号の該指示値を使用してインバランスを導出し、
ｄ）変形第１信号を該インバランスに基づいて導出し、
ｅ）該変形第１信号が被験者に印加されるようにすることにより、少なくとも一つのインピーダンス測定を実行可能にする、請求項１１記載の装置。
【請求項２７】
該処理システムは、
ａ）該被験者に印加するために使用される制御信号を生成し、
ｂ）被験者に印加される該一つ以上の信号の指示値を受信し、
ｃ）被験者から測定される一つ以上の信号の指示値を受信し、 
ｄ）該指示値の少なくとも事前処理を行なうことにより、インピーダンス値の導出を可能にする
ために設けられる、請求項２６記載の装置。
【請求項２８】
該装置は少なくとも一つの信号発生器を含み、該少なくとも一つの信号発生器は、
ａ）一つ以上の制御信号を受信し、 
ｂ）該制御信号を増幅することにより第１信号を生成し、
ｃ）第１電極を介して該被験者に該第１信号を印加し、
ｄ）被験者に印加される該第１信号に関するパラメータの指示値を供給する
請求項２６又は請求項２７記載の装置。
【請求項２９】
該装置は、該当する信号発生器を各第１電極に対応して含む、請求項２８記載の装置。
【請求項３０】
該第１信号は電圧であり、該信号発生器は、該被験者を流れる電流の指示値を供給するために設けられる、請求項２８又は請求項２９記載の装置。
【請求項３１】
該装置は、第２電極を介して該第２信号を測定する少なくとも一つのセンサを含む、請求項２６乃至３０のいずれか一項に記載の装置。
【請求項３２】
該装置は、該当するセンサを各第２電極に対応して含む、請求項３１記載の装置。
【請求項３３】
該装置は、２つの第２電極の各第２電極で測定される第２信号を増幅する差動アンプを含む、請求項２６乃至３２のいずれか一項に記載の装置。
【請求項３４】
該差動アンプは、
ａ）該第２電極で測定される電圧を表わす差分電圧と、ｂ）全てのインバランスを表わすコモンモード信号と
のうちの少なくとも一つを生成する、請求項３３記載の装置。
【請求項３５】
該装置は電極システムを含み、該電極システムは、
ａ）該信号発生器及びセンサが取り付けられた第１基板と、
ｂ）少なくとも２つの導電パッドが取り付けられた第２基板と
を含み、該導電パッドは、該信号発生器及び該センサを被験者に使用状態において接続するために設けられる、請求項２６乃至３４のいずれか一項に記載の装置。
【請求項３６】
該装置は、測定デバイスを第１及び第２電極に少なくとも部分的に接続する少なくとも一つのリード線を含み、該リード線は、
ａ）該測定デバイス及び該信号発生器を接続し、そして該測定デバイス及び該センサを接続する少なくとも２つの接続線と、
ｂ）該少なくとも２つの接続線の各接続線に対応するシールドと
を含み、該シールドは電気的に接続され、かつ該測定デバイス及び該電極システムの各々における基準電位に接続される、請求項２６乃至３５のいずれか一項に記載の装置。
【請求項３７】
該装置は、
ａ）少なくとも２つの電極システムであって、各電極システムは、
ｉ）該被験者に印加される第１信号を印加する信号発生器と、
ｉｉ）該被験者から生じた第２信号を検出するセンサと、
ｉｉｉ）該信号発生器を該被験者に接続する第１電極と、
ｉｖ）該センサを被験者に接続する第２電極と、
を含む、少なくとも２つの電極システムと
ｂ）該電極システムを制御することによりインピーダンス測定を行なうことができるようにする測定デバイスと、
ｃ）該測定デバイスを該電極システムに接続する少なくとも２つのリード線と、を含み、該リード線は、
ｉ）該測定デバイスから異なる方向に延びることにより、これらのリード線の間の誘導結合を低減する構成と、
ｉｉ）リード線長を最短にする構成と
のうちの少なくとも一つの構成となるように配線される、請求項２６乃至３６のいずれか一項に記載の装置。
【請求項３８】
該装置は、該処理システムをコンピュータシステムに接続するインターフェースを含み、該処理システムは、
ａ）制御信号を、該コンピュータシステムから受信するコマンドに従って生成し、 
ｂ）測定インピーダンス値を表わすデータを該コンピュータシステムに供給することにより、インピーダンス値の導出を可能にする
ために設けられる、請求項２６乃至３７のいずれか一項に記載の装置。
【請求項３９】
該処理システムはＦＰＧＡである、請求項３８記載の装置。
【請求項４０】
該コンピュータシステムは、
ａ）該処理システムを制御するコマンドを生成し、 
ｂ）測定インピーダンス値を表わすデータを該処理システムから受信し、
ｃ）該インピーダンス値を、該データを使用して導出する
ために設けられる、請求項３８又は請求項３９記載の装置。
【請求項４１】
請求項１１記載の装置であって、該装置は、
測定デバイスを電極システムに接続するリード線を含み、該電極システムは信号発生器とそしてセンサとを含み、該リード線は、
ａ）該測定デバイス及び該信号発生器を接続し、該測定デバイス及び該センサを接続する少なくとも２つの接続線と、
ｂ）該少なくとも２つの接続線の各接続線に対応するシールドと
を含み、該シールドは電気的に接続され、該測定デバイス及び該電極システムの各々における基準電位に接続される、請求項１１記載の装置。
【請求項４２】
該基準電位はグランド電位である、請求項４１記載の装置。
【請求項４３】
該リード線は、
ａ）該測定デバイスを該信号発生器に接続することにより、該測定デバイスが該信号発生器を制御して第１信号を該被験者に印加可能にする第１ケーブルと、
ｂ）該測定デバイスを該信号発生器に接続することにより、該測定デバイスが、該被験者に印加される該第１信号に関するパラメータを導出可能にする第２ケーブルと、
ｃ）該測定デバイスを該信号発生器に接続することにより、該測定デバイスが、該被験者から測定した電圧を導出可能にする第３ケーブルと
を含む、請求項４１又は請求項４２記載の装置。
【請求項４４】
該電極システムは、
ａ）該信号発生器及びセンサが取り付けられた第１基板と、
ｂ）少なくとも２つの導電パッドが取り付けられた第２基板と、
を含み、該導電パッドは、該信号発生器及び該センサを被験者に使用状態において接続するために設けられる、請求項４１乃至４３のいずれか一項に記載の装置。
【請求項４５】
請求項１１記載の装置であって、該装置が、
ａ）少なくとも２つの電極システムであって、各電極システムは、
ｉ）該被験者に印加される第１信号を印加する信号発生器と、
ｉｉ）該被験者から生じた第２信号を検出するセンサと、
ｉｉｉ）該信号発生器を該被験者に接続する第１電極と、
ｉｖ）該センサを被験者に接続する第２電極と
を含む少なくとも２つの電極システムと、
ｂ）該電極システムを制御して実行すべきインピーダンス測定を可能にする測定デバイスと、
ｃ）該測定デバイスを該電極システムに接続する少なくとも２つのリード線と
を含み、該リード線は、
ｉ）該測定デバイスから異なる方向に延びることにより、これらのリード線の間の誘導結合を低減する構成、
ｉｉ）リード線長を最短にする構成
のうちの少なくとも一つの構成となるように配線される、請求項１１記載の装置。
【請求項４６】
該装置は、
ａ）４つの電極システムと、
ｂ）該測定デバイスから４つの異なる方向に延びる４つのリード線と
を含む、請求項４５記載の装置。
【請求項４７】
該装置は、該被験者の四肢を支持することにより、該測定デバイスをほぼ、被験者の膝の
間に位置決めする支持体を含む、請求項４５又は請求項４６記載の装置。
【請求項４８】
各リード線は、
ａ）該測定デバイスを該信号発生器に接続することにより、該測定デバイスが、該信号発生器を制御して第１信号を該被験者に印加可能にする第１ケーブルと、
ｂ）該測定デバイスを該信号発生器に接続することにより、該測定デバイスが、該被験者に印加される該第１信号に関するパラメータを導出可能にする第２ケーブルと、
ｃ）該測定デバイスを該信号発生器に接続することにより、該測定デバイスが、被験者から測定される電圧を導出可能にする第３ケーブルと
を含む、請求項４５乃至４７のいずれか一項に記載の装置。
【請求項４９】
該電極システムは、
ａ）該信号発生器及びセンサが取り付けられた第１基板と、
ｂ）少なくとも２つの導電パッドが取り付けられた第２基板と
を含み、該導電パッドは、該信号発生器及び該センサを被験者に使用状態において接続するために設けられる、請求項４５乃至４８のいずれか一項に記載の装置。
【請求項５０】
請求項１記載の方法であって、該処理システムが、
ａ）少なくとも２つの電極システムであって、各電極システムは、
ｉ）該被験者に印加される第１信号を印加する信号発生器と、
ｉｉ）該被験者から生じた第２信号を検出するセンサと、
ｉｉｉ）該信号発生器を該被験者に接続する第１電極と、
ｉｖ）該センサを該被験者に接続する第２電極と
を含む少なくとも２つの電極システムと、
ｂ）該電極システムを制御することによりインピーダンス測定を実行可能にする測定デバイスと、
ｃ）該測定デバイスを該電極システムに接続する少なくとも２つのリード線と
を含み、該方法は、該リード線を、
ｉ）該測定デバイスから異なる方向に延びることにより、これらのリード線の間の誘導結合を低減する構成、
ｉｉ）リード線長を最短にする構成
のうちの少なくとも一つの構成となるように配線することを含む、請求項１記載の方法。
【請求項５１】
浮腫の有無、または重症度を診断するために使用される方法であって、
ａ）被験者に装着される第１電極に操作可能に接続される第１リード線を介して、少なくとも一つの電気信号を該被験者に印加し、
ｂ）該被験者に装着される第２電極から操作可能に接断される第２リード線を介して測定される少なくとも一つの第１電気信号を表わす第１指示値を導出し、
ｃ）該被験者に装着される第２電極に操作可能に接続される第２リード線を介して測定される少なくとも一つの第２電気信号を表わす第２指示値を導出し、
ｄ）該第１及び第２指示値、及び該少なくとも一つの印加された電気信号に基づいて、少なくとも一つの瞬時インピーダンス値を求める
ことを含む、方法。
【請求項５２】
浮腫の有無、または重症度を診断するために使用される、処理システムを含む装置であって、該処理システムは、
ａ）被験者に装着される第１電極に操作可能に接続される第１リード線を介して、少なくとも一つの電気信号を該被験者に印加し、
ｂ）該被験者に装着される第２電極から操作可能に接続遮断される第２リード線を介して測定される少なくとも一つの第１電気信号を表わす第１指示値を導出し、
ｃ）該被験者に装着される第２電極に操作可能に接続される第２リード線を介して測定される少なくとも一つの第２電気信号を表わす第２指示値を導出し、
ｄ）該第１及び第２指示値、及び該少なくとも一つの印加された電気信号に基づいて、少なくとも一つの瞬時インピーダンス値を求める
装置。
【請求項５３】
体組成を求めるために使用される方法であって、
ａ）被験者に装着される第１電極に操作可能に接続される第１リード線を介して、少なくとも一つの電気信号を該被験者に印加し、
ｂ）該被験者に装着される第２電極から操作可能に接続遮断される第２リード線を介して測定される少なくとも一つの第１電気信号を表わす第１指示値を導出し、
ｃ）該被験者に装着される第２電極に操作可能に接続される第２リード線を介して測定される少なくとも一つの第２電気信号を表わす第２指示値を導出し、
ｄ）該第１及び第２指示値、及び該少なくとも一つの印加された電気信号に基づいて、少なくとも一つの瞬時インピーダンス値を求める方法。
【請求項５４】
体組成を求めるために使用される処理システムを含む装置であって、該処理システムは、
ａ）被験者に装着される第１電極に操作可能に接続される第１リード線を介して、少なくとも一つの電気信号を該被験者に印加し、
ｂ）該被験者に装着される第２電極から操作可能に接続遮断される第２リード線を介して測定される少なくとも一つの第１電気信号を表わす第１指示値を導出し、
ｃ）該被験者に装着される第２電極に操作可能に接続される第２リード線を介して測定される少なくとも一つの第２電気信号を表わす第２指示値を導出し、
ｄ）該第１及び第２指示値、及び該少なくとも一つの印加された電気信号に基づいて、少なくとも一つの瞬時インピーダンス値を求める、装置。